(57)【要約】【課題】  画像読み取り装置の読み取り領域に写真フィルムを正確に位置決めできるフィルムホルダ及びそれを用いた画像読み取り装置を提供する。【解決手段】  本発明に係るフィルムホルダは、フレームの内縁に形成された溝に外縁部が支持されている写真フィルムを画像読み取り装置の読み取り領域に位置決めするためのフィルムホルダであって、前記フレームを保持する保持部を有するホルダ本体と、前記保持部に保持された前記フレームの外面上の前記外縁部の真上領域を押圧する押圧部と、を備える。【選択図】    図１
2006067209.tif 000002
【特許請求の範囲】
【請求項１】
フレームの内縁に形成された溝に外縁部が支持されている写真フィルムを画像読み取り装置の読み取り領域に位置決めするためのフィルムホルダであって、
前記フレームを保持する保持部を有するホルダ本体と、
前記保持部に保持された前記フレームの外面上の前記外縁部の真上領域を押圧する押圧部と、
を備えることを特徴とするフィルムホルダ。
【請求項２】
前記ホルダ本体に脱着自在に係止される脱着部を有し、
前記押圧部は前記脱着部に設けられ、前記ホルダ本体に係止された前記脱着部の弾性変形により前記真上領域を押圧することを特徴とする請求項１に記載のフィルムホルダ。
【請求項３】
前記ホルダ本体に揺動可能に連結され閉姿勢で前記ホルダ本体に係止されるカバーを有し、
前記押圧部は前記カバーに設けられ、前記ホルダ本体に係止された前記カバーの弾性変形により前記真上領域を押圧することを特徴とする請求項１に記載のフィルムホルダ。
【請求項４】
前記ホルダ本体は複数の前記保持部を有し、
前記カバーは前記保持部毎に独立して設けられていることを特徴とする請求項３に記載のフィルムホルダ。
【請求項５】
前記ホルダ本体は複数の前記保持部を有し、
前記カバーは一つだけ設けられ、複数の押圧部が設けられていることを特徴とする請求項３に記載のフィルムホルダ。
【請求項６】
前記押圧部は、前記ホルダ本体から突出する弾性変形可能な突出部であることを特徴とする請求項１に記載のフィルムホルダ。
【請求項７】
請求項１〜６のいずれか一項に記載のフィルムホルダを位置決めする位置決め部と、
前記位置決め部に位置決めされた前記フィルムホルダに保持されているフレームに支持されている前記写真フィルムを読み取るイメージセンサと、
を備えることを特徴とする画像読み取り装置。
【発明の詳細な説明】
【技術分野】
【０００１】
本発明はフィルムホルダ及び画像読み取り装置に関する。
【背景技術】
【０００２】
写真フィルム等の透過原稿を読み取る画像読み取り装置が知られている。一般にマウントフィルム等の写真フィルムは、フィルムホルダに保持された状態で画像読み取り装置に読み取られる。フィルムホルダは画像読み取り装置が備えるイメージセンサの受光面に写真フィルムに対する焦点が一致する位置に写真フィルムを位置決めする。
【０００３】
従来のフィルムホルダとして、内縁に形成された溝で写真フィルムの外縁部を支持するフレームをホルダ本体に保持するフィルムホルダがある。
しかしながら、フレームは溝と写真フィルムとの間に隙間が生じる場合がある。具体的には例えば図４（Ｂ）に示すフレーム３１のようにベース３１ａと蓋部３１ｂとで形成される溝３１ｈと写真フィルム１９との間に隙間が生じる場合がある。隙間が生じると、写真フィルムが元から湾曲している場合、写真フィルムの読み取り対象となる領域の一部がイメージセンサの受光面に焦点が一致する位置から外れ、写真フィルムを読み取った画像がぼやけてしまう。また、隙間があると、写真フィルムが湾曲していなかったとしても、画像読み取り装置が発生する熱によって読み取り中に湾曲することがある。特に読み取り速度の速い画像読み取り装置では発生する熱が多いため写真フィルムが湾曲し易い。
【発明の開示】
【発明が解決しようとする課題】
【０００４】
本発明は、上述の問題を解決するために創作されたものであって、画像読み取り装置の読み取り領域に写真フィルムを正確に位置決めできるフィルムホルダ及びそれを用いた画像読み取り装置を提供することを目的とする。
【課題を解決するための手段】
【０００５】
（１）上記目的を達成するための本発明のフィルムホルダは、フレームの内縁に形成された溝に外縁部が支持されている写真フィルムを画像読み取り装置の読み取り領域に位置決めするためのフィルムホルダであって、前記フレームを保持する保持部を有するホルダ本体と、前記保持部に保持された前記フレームの外面上の前記外縁部の真上領域を押圧する押圧部と、を備える。
【０００６】
本発明によると、フレームの溝と写真フィルムとの間に隙間があってその隙間で写真フィルムが湾曲していたとしても、フレームの外面上の外縁部の真上領域を押圧部が押圧するため、フレームの溝と写真フィルムとの隙間をなくすことができる。これにより写真フィルムの上下の面がともに溝に密着するため、写真フィルムを平らに延ばすことができる上、平らな写真フィルムが読み取り時に熱によって湾曲することを抑えることもできる。また、写真フィルムの真上領域は写真フィルムの読み取り対象となる領域の近傍であるため、真上領域以外の領域を押圧する場合に比べ、写真フィルムの読み取り対象となる領域をより確実に平らに延ばすことができる。これにより、写真フィルムの読み取り対象となる領域全域をイメージセンサの受光面に焦点が一致する位置により正確に位置決めできる。よって本発明によると、画像読み取り装置の読み取り領域に写真フィルムを正確に位置決めできる。
【０００７】
（２）前記ホルダ本体に脱着自在に係止される脱着部を有し、前記押圧部は前記脱着部に設けられ、前記ホルダ本体に係止された前記脱着部の弾性変形により前記真上領域を押圧してもよい。
（３）前記ホルダ本体に揺動可能に連結され閉姿勢で前記ホルダ本体に係止されるカバーを有し、前記押圧部は前記カバーに設けられ、前記ホルダ本体に係止された前記カバーの弾性変形により前記真上領域を押圧してもよい。本発明によると、カバーが連結されているため、押圧部を紛失してしまうことがない。
【０００８】
（４）前記ホルダ本体は複数の前記保持部を有し、前記カバーは前記保持部毎に独立して設けられてもよい。
（５）前記ホルダ本体は複数の前記保持部を有し、前記カバーは一つだけ設けられ、複数の押圧部が設けられてもよい。本発明によると、カバーが一つだけであるため、保持部毎にカバーが設けられている場合に比べ、カバーを開閉する手間を低減できる。
【０００９】
（６）前記押圧部は、前記ホルダ本体から突出する弾性変形可能な突出部でもよい。本発明によると、カバーで押圧する場合に比べ、押圧部の構造を簡素にできる。
（７）上記目的を達成するための本発明の画像読み取り装置は、請求項１〜６のいずれか一項に記載のフィルムホルダを位置決めする位置決め部と、前記位置決め部に位置決めされた前記フィルムホルダに保持されているフレームに支持されている前記写真フィルムを読み取るイメージセンサと、を備える。
本発明によると、正確に位置決めされた写真フィルムをイメージセンサで読み取ることができるため、写真フィルムを鮮明に読み取ることができる。
【発明を実施するための最良の形態】
【００１０】
以下、複数の実施例に基づいて本発明の実施の形態を説明する。各実施例において同一の符号が付された構成要素は、その符号が付された他の実施例の構成要素と対応する。
【００１１】
（第一実施例）
図２は、本発明の第一実施例に係る画像読み取り装置としてのスキャナ１の模式図である。
イメージセンサ１１は、直線上に配列された光電変換素子群を備え、ＣＣＤリニアイメージセンサ、ＣＭＯＳリニアイメージセンサ等で構成される。イメージセンサ１１は、可視光、赤外光等の所定の波長領域の光を各光電変換素子で光電変換し、走査線上の画像の濃淡に相関する電気信号を出力する。尚、イメージセンサ１１は、レンズ縮小型であってもよいし、密着型であってもよい。
【００１２】
ローラ１２、１３、１４、１５は、図示しないモータによって駆動され、フィルムホルダ３０を所定の直線に沿って往復移動させる。フィルムホルダ３０の移動方向を副走査方向という。副走査方向は走査線に垂直である。ローラ１２、１３、１４、１５は、請求項に記載の位置決め部に相当し、フィルムホルダ３０を所定の位置に位置決めしている。尚、本発明はセンサ移動型の画像読み取り装置にも適用することができる。例えばフラットベッド型イメージセンサであれば、プラテンガラスが請求項に記載の位置決め部に相当する。
【００１３】
レンズ１６、ミラー１７及び光源１８は、フィルムホルダ３０に保持されたマウントフィルム等の写真フィルム１９の透過光像をイメージセンサ１１の受光面に結像させる光学系である。ローラ１２、１３、１４、１５に位置決めされたフィルムホルダ３０に保持されたフレーム３１の凹部３１ｃ（図４参照）の底面に対するレンズ１６の焦点にイメージセンサ１１の受光面が位置している。光源１８は、キセノンランプ等を用いた管照明装置から構成され、長手方向軸が主走査線に平行な姿勢である。尚、光源は面光源であってもよい。
【００１４】
フィルムホルダ３０は、写真フィルム１９を光学系の焦点がイメージセンサ１１の受光面に一致する位置に保持する。写真フィルム１９は外縁部をフレーム３１の溝３１ｈ（図４参照）に支持されてホルダ本体に位置決めされている。詳しくは後述するが、フレーム３１の外面上の領域であって写真フィルム１９の外縁部の真上領域は、脱着部５０に設けられている凸部５２により押圧されている。
【００１５】
図３はスキャナ１を示すブロック図である。
光源部４１は、光源１８及びその駆動回路で構成される。
搬送部４２は、ローラ１２、１３、１４、１５を回転させるモータ及びその駆動回路で構成される。
アナログフロントエンド（ＡＦＥ）４３は、ＣＤＳ（相関二重サンプリング）等によるノイズ除去、増幅、Ａ／Ｄ変換等の機能を有する。
【００１６】
画像処理部４４は、ガンマ補正、先鋭化処理、モアレの除去処理、シェーディング補正、欠陥画素の補間、ホワイトバランスの補正等の機能を有するＡＳＩＣである。尚、これらの機能を制御部４５で実行するソフトウェアで実現してもよい。また、これらの機能をパーソナルコンピュータ（ＰＣ）５０等で構成される外部システムに備えてもよい。例えば、ＴＷＡＩＮドライバ等のソフトウェアでこれらの機能を実現してもよい。
【００１７】
外部インタフェースコントローラ４６は、ＰＣ５０等の外部システムとスキャナ１とを通信可能に接続する。
次に、フレームについて説明する。
図４（Ａ）は一般的なフレームの斜視図である。フレーム３１はベース３１ａと蓋部３１ｂとを有している。ベース３１ａには概ね矩形の凹部３１ｃが形成されており、凹部３１ｃの中央には光源１８から放射された放射光を通過させるための矩形の開口３１ｄが形成されている。凹部３１ｃは概ね写真フィルムと同じ形状に形成されており、開口３１ｄは写真フィルムの読み取り対象となる領域がほぼ納まる大きさに形成されている。蓋部３１ｂは折り曲げ自在な折り曲げ部３１ｅによってベース３１ａに連結されている。蓋部３１ｂは外周形状がベース３１ａの凹部３１ｃの内周形状に概ね一致する形状に形成されている。蓋部３１ｂにもベース３１ａと同じ形状の開口が形成されている。
【００１８】
図４（Ｂ）は、写真フィルムの外縁部を支持している状態のフレーム３１の図４（Ａ）に示すＩＩ−ＩＩ線の断面図である。蓋部３１ｂには端面から突出する係合部３１ｆが形成されており、一方、ベース３１ａには係合部３１ｆに係合するフック３１ｇが形成されている。凹部３１ｃに写真フィルム１９を載置した状態で蓋部３１ｂを閉じると係合部３１ｆがフック３１ｇに係合し、それによりフレーム３１の内縁に溝３１ｈが形成される。図示するように写真フィルム１９は、溝３１ｈによって形成される空間に外縁部が収容され、外縁部の下面が溝３１ｈに当接して支持される。図中の領域３１ｋはフレーム３１の真上領域である。真上領域とは具体的にはフレーム３１の外面上の領域であって、写真フィルム１９の外縁部を写真フィルム１９の面に対して垂直に投影した領域である。溝３１ｈの底面は、フィルムホルダ３０がスキャナ１に位置決めされたとき、光学系の焦点がイメージセンサ１１の受光面に一致する位置となる。従って、写真フィルム１９を溝３１ｈの底面に密着させれば読み取り対象となる領域全域をイメージセンサ１１の受光面に焦点が一致する位置に位置決めできる。その結果、写真フィルム１９を鮮明に読み取ることができる。しかしながら、一般にフレーム３１には図示するように溝３１ｈと写真フィルム１９との間に隙間が生じるため、写真フィルム１９が湾曲していると溝３１ｈの底面に密着せず、そのままでは鮮明に読み取ることはできない。
【００１９】
次に、フィルムホルダ３０について説明する。
図１は、第一実施例に係るフィルムホルダ３０の斜視図である。フィルムホルダ３０はホルダ本体２９、及び押圧部を備える。
ホルダ本体２９は、プラスチック等で平板状に形成されている。ホルダ本体２９には概ね矩形に凹む複数の嵌合部３２が形成されている。特許請求の範囲に記載の保持部は嵌合部３２に相当する。嵌合部３２の底壁には光源１８から放射された放射光を通過させるための矩形の開口３３が形成されている。開口３３の周囲には嵌合部３２の底面よりも更に凹む凹部３４が形成されており、透明板２０が嵌め込まれている。透明板２０はフィルムホルダ３０が搬送される際にユーザが開口３３に指を入れたままで搬送され、それにより指を挟まれてけがをすることがないよう開口３３を閉塞している。複数の嵌合部３２の間には後述する脱着部５０を係止するためのフック３７が形成されている。
【００２０】
嵌合部３２の側壁には、嵌合部３２に嵌合されたフレーム３１を対抗する側壁側に向けて押圧する弾性部３５が２つ形成されている。また、嵌合部３２の側壁には棒状に突出する弾性変形可能な２本の弾性部３５が形成されている。弾性部３５は基端部から先端部に向かって嵌合部３２の底壁側に傾くように延びている。なお、第一実施例の突出部３６は特許請求の範囲に記載の突出部のことではなく、フレーム３１の写真フィルムの真上領域以外の領域を押圧する。フレーム３１は図１において右側の列の最下段の嵌合部３２ａに示すように嵌合部３２に嵌合され、弾性部３５と突出部３６とによって押圧されることでホルダ本体２９に位置決めされる。
【００２１】
図５は、脱着部５０の斜視図である。脱着部５０は金属等の弾性変形可能な部材によって形成されている。脱着部５０には開口５１、押圧部としての凸部５２、係止部５３、及びストッパ５４が形成されている。開口５１はフレーム３１の開口３１ｄより僅かに大きく形成されている。凸部５２は脱着部５０において開口５１の対抗する２辺を形成している部分にそれぞれ紙面奥側に突出するように形成されている。２つの凸部５２は図示するようにそれぞれ前述した辺の概ね中心近傍に形成されている。係止部５３は脱着部５０の本体５６の縁から突出するよう形成され、９０度折り曲げられている。９０度折り曲げられた先は更に本体５６とは逆側に９０度折り曲げられている。ストッパ５４は本体５６から張り出した張出部５５の先端部を係止部５３と同じ方向に９０度折り曲げることで形成されている。脱着部５０は取り付けの際にフレーム３１に向けて指で押しつけられるため、ストッパ５４はそのときに嵌合部３２の底面に当接してフレーム３１が過剰に押圧されることを防止する。
【００２２】
次に、フレーム３１の真上領域の押圧について図１に基づいて説明する。
図１に示すフィルムホルダ３０の左側の列の最下段の嵌合部３２ｂに嵌合されているフレーム３１は、真上領域を脱着部５０によって押圧されている。フレーム３１の真上領域の押圧では、始めにフレーム３１を嵌合部３２に嵌合する。次に、脱着部５０の係止部５３の先端部を弾性部３５に係止する。次に、脱着部５０の、係止部５３が設けられている縁部とは逆側の縁部をフレーム３１に向けて指で押しつけて弾性変形させ、そのまま係止部５３とは逆側にスライドさせる。脱着部５０をスライドさせると脱着部５０の張出部５５がフック３７に係止され、これにより嵌合部３２ｂに示すように脱着部５０がフレーム３１を押圧した状態でホルダ本体２９に係止される。
【００２３】
図６は、凸部５２の位置を説明するための模式図である。図中の斜線で示す領域は写真フィルムの外縁部を示している。図示するように凸部５２は写真フィルムの外縁部の真上に位置している。従って脱着部５０はフレーム３１の写真フィルムの外縁部の真上領域を凸部５２で押圧している。
以上説明した本発明の第一実施例に係るフィルムホルダ３０によると、フレーム３１の溝３１ｈと写真フィルム１９との間に隙間があってその隙間で写真フィルム１９が湾曲していたとしても、凸部５２が真上領域を押圧するため、フレーム３１の溝３１ｈと写真フィルム１９との隙間をなくすことができる。これにより写真フィルム１９の上下の面がともに図２に示すように溝３１ｈに密着するため、写真フィルム１９を平らに延ばすことができる上、平らな写真フィルム１９が読み取り時に熱によって湾曲することを抑えることもできる。また、写真フィルム１９の外縁部は写真フィルム１９の読み取り対象となる領域の近傍であるため、真上領域以外の領域を押圧する場合に比べ、写真フィルム１９の読み取り対象となる領域をより確実に平らに延ばすことができる。これにより、写真フィルム１９の読み取り対象となる領域全域をイメージセンサ１１の受光面に焦点が一致する位置により正確に位置決めできる。よって本発明によると、スキャナ１の読み取り領域に写真フィルム１９を正確に位置決めできる。
【００２４】
（第二実施例）
図７は、第二実施例に係るフィルムホルダ６０の模式図である。フィルムホルダ６０は第一実施例と同様に複数の嵌合部６３を有している。図中の嵌合部６３ａはフレーム３１が嵌合されていない状態の嵌合部６３を示している。また、フィルムホルダ６０はホルダ本体６１に揺動可能に連結されるカバー６２を有している。カバー６２は嵌合部６３毎に独立して設けられている。
【００２５】
図８（Ａ）は、第二実施例に係るカバー６２の模式図である。カバー６２は外周形状が嵌合部６３の内周形状に概ね一致する形状に形成され、ホルダ本体６１の開口３３に対応する位置に開口６７が形成されている。カバー６２において開口６７の対抗する２辺を形成している部分には第一実施例と同様に凸部５２がそれぞれ形成されている。カバー６２には両端から円柱状に突出する軸部６４が形成されており、一方、ホルダ本体には軸受け穴が形成されている。カバー６２は軸部６４が軸受け穴に軸支されることでホルダ本体６１に揺動可能に連結される。また、カバー６２の軸部６４が形成されている縁部とは逆側の縁部の両隅にはフック６５が形成されている。
【００２６】
図８（Ｂ）は、フィルムホルダ６０の断面図である。ホルダ本体６１の嵌合部６３の側壁には係合部６６が形成されている。係合部６６はカバー６２に形成されているフック６５に対応する位置に設けられており、対抗する側壁側に向かって突出している。フレーム３１の押圧では、フレーム３１をホルダ本体６１に位置決めした状態でカバー６２を閉じる。カバー６２を閉じるとフック６５が弾性変形して係合部６６の下に入り込む。これによりフック６５がホルダ本体６１に係合し、カバー６２は閉姿勢で係止される。カバー６２が閉姿勢で係止されると、凸部５２はカバー６２の弾性変形によりフレーム３１の真上領域を押圧する。
【００２７】
（第三実施例）
図９は、第三実施例に係るフィルムホルダ７０の模式図である。第三実施例のホルダ本体７１も第一実施例と同様に複数の嵌合部７７を有している。図中の嵌合部７７ａはフレーム３１が嵌合されていない状態の嵌合部７７を示している。
フィルムホルダ７０はホルダ本体７１に揺動可能に連結されるカバー７２を有している。カバー７２は一部材で形成されている。カバー７２はホルダ本体７１に形成されている複数の嵌合部７７を全て覆う大きさに形成されており、複数の開口７３が形成されている。カバー７２の各開口７３はそれぞれホルダ本体７１の開口３３に対応する位置に形成されている。カバー７２において各開口７３の対抗する２辺を形成している部分には第一実施例と同様に凸部５２がそれぞれ形成されている。カバー７２には両端から円柱状に突出する図示しない軸部が形成されており、一方、ホルダ本体７１には軸受け穴が形成されている。カバー７２は軸部が軸受け穴に軸支されることでホルダ本体７１に揺動可能に連結されている。また、カバー７２の軸部が形成されている側とは逆側の縁部にはフック７４が３つ形成されている。
【００２８】
ホルダ本体７１には凹部７５が形成されており、複数の嵌合部７７は凹部７５の底壁に形成されている。凹部７５の側壁には係合部７６が３つ形成されている。係合部７６はカバー７２に形成されているフック７４に対応する位置に設けられており、対抗する側壁側に向かって突出している。フレーム３１の押圧では、フレーム３１をホルダ本体７１に位置決めした状態でカバー７２を閉じる。カバー７２を閉じるとフック７４が弾性変形して係合部７６の下に入り込む。これによりフック７４がホルダ本体７１に係合し、カバー７２は閉姿勢で係止される。カバー７２が閉姿勢で係止されると、凸部５２はカバー７２の弾性変形によりフレーム３１の真上領域を押圧する。
【００２９】
（第四実施例）
図１０は、第四実施例に係るフィルムホルダ８０の模式図である。第四実施例のホルダ本体８１も第一実施例と同様に複数の嵌合部８３を有している。図中の嵌合部８３ａはフレーム３１が嵌合されていない状態の嵌合部８３を示している。
【００３０】
フィルムホルダ８０は、嵌合部８３の側壁から２本の弾性変形可能な突出部８２が棒状に突出している。２本の突出部８２は押圧部に相当する。突出部８２は基端部から先端部に向かって写真フィルム側に傾くように延びている。フレーム３１は、嵌合部８３の底面と突出部８２との間にスライド挿入され、２本の突出部８２によって真上領域が押圧される。
【図面の簡単な説明】
【００３１】
【図１】本発明の第一実施例に係るフィルムホルダの斜視図。
【図２】本発明の第一実施例に係る画像読み取り装置の模式図。
【図３】本発明の第一実施例に係る画像読み取り装置のブロック図。
【図４】（Ａ）は本発明の第一実施例に係るフレームの斜視図、（Ｂ）はその断面図。
【図５】本発明の第一実施例に係る脱着部の斜視図。
【図６】本発明の第一実施例に係る凸部の位置を説明するための模式図。
【図７】本発明の第二実施例に係るフィルムホルダの斜視図。
【図８】（Ａ）は本発明の第二実施例に係るカバーの模式図、（Ｂ）はその断面図。
【図９】本発明の第三実施例に係るフィルムホルダの斜視図。
【図１０】本発明の第四実施例に係るフィルムホルダの斜視図。
【符号の説明】
【００３２】
１  スキャナ（画像読み取り装置）、１１  イメージセンサ、１２、１３、１４、１５  ローラ（位置決め部）、１９  写真フィルム、３０  フィルムホルダ、３１  フレーム、３２  嵌合部（保持部）、５０  脱着部、５２  凸部（押圧部）、６０  フィルムホルダ、６２  カバー、６３  嵌合部（保持部）、７０  フィルムホルダ、７２  カバー、７７  嵌合部、８０  フィルムホルダ、８２  突出部（押圧部）、８３  嵌合部（保持部）
【図１】
2006067209.tif 000003
【図２】
2006067209.tif 000004
【図３】
2006067209.tif 000005
【図４】
2006067209.tif 000006
【図５】
2006067209.tif 000007
【図６】
2006067209.tif 000008
【図７】
2006067209.tif 000009
【図８】
2006067209.tif 000010
【図９】
2006067209.tif 000011
【図１０】
2006067209.tif 000012